(57)【要約】【課題】毎日服用又は摂取する医薬品、健康食品の摂取の事実を容易に確認することができる摂取確認シート及びそれに収納した医薬品、健康食品を提供する。【解決手段】１回ごとの適量の医薬品を朝の分、昼の分、夜の分ごとのスペースに小物収納可能ポケットを備えた摂取確認シートに収納する。日付に対応した１日のうち朝の分、昼の分、夜の分ごとのスペースを備えた摂取確認シートであって、該１日ごとのスペースには小物収納可能なポケットが備えられる。日付に対応した１日ごとのスペースを備えた摂取確認シートであって、飲むべき適量が定められた健康食品の１日分のパッケージを前記１日ごとのスペースに予め貼り付け、又は小物収納可能なポケットが備えられポケットに収納してなる。１日ごとに飲むべき適量が定められた健康食品であって、前記摂取確認シートに貼り付け、又は前記小物収納可能ポケットを備えた摂取確認シートに収納してなる。【選択図】　　　　図３
0003097598.tif 000002
【実用新案登録請求の範囲】
【請求項１】
１回ごとに飲むべき適量が定められた医薬品であって、前記１回ごとの適量のパッケージを、１日のうち朝の分、昼の分、夜の分ごとのスペースに小物収納可能ポケットを備えた摂取確認シートに収納してなる医薬品。
【請求項２】
日付に対応した１日のうち朝の分、昼の分、夜の分ごとのスペースを備えた摂取確認シートであって、該１日ごとのスペースには小物収納可能なポケットが備えられた摂取確認シート。
【請求項３】
日付に対応した１日ごとのスペースを備えた摂取確認シートであって、飲むべき適量が定められた健康食品の１日分のパッケージを前記１日ごとのスペースに予め貼り付けてなる摂取確認シート。
【請求項４】
日付に対応した１日ごとのスペースを備えた摂取確認シートであって、該１日ごとのスペースには小物収納可能なポケットが備えられた摂取確認シート。
【請求項５】
１日ごとに摂るべき適量が定められた健康食品であって、前記１日ごとの適量のパッケージを、日付に対応した１日ごとのスペースを備えた摂取確認シートに貼り付けてなる健康食品。
【請求項６】
１日ごとに摂るべき適量が定められた健康食品であって、前記１日ごとの適量のパッケージを、日付に対応した１日ごとのスペースに小物収納可能ポケットを備えた摂取確認シートに収納してなる健康食品。
【考案の詳細な説明】
【０００１】
【考案の属する技術分野】
本考案は、医薬品、健康食品及びそれの適量摂取を手助けする摂取確認シートに関する。
【０００２】
【従来の技術】
漸増投与される薬の量を管理するための錠剤用容器が実用新案登録第３０２０９５６号に開示されている。
【０００３】
【考案が解決しようとする課題】
上に挙げた技術は、毎日摂取する量が変化するものであるが、毎日の量が一定である場合にも同様の課題があることに本考案の考案者は気付いた。例えば、老人であればその日既に健康食品を食べたにもかかわらず、食べたかどうか不安に駆られることがある。また逆に、食べていないのに食べたかのように感じてしまう場合もある。そこで本考案の考案者は、摂取確認シートを工夫することによって、毎日取るべき健康食品の摂取を確認することが容易になると考えた。本考案の目的は、毎日食する健康食品又は医薬品の摂取の事実を容易に確認することのできる摂取確認シート及びそれに収納した健康食品又は医薬品を提供することにある。
【０００４】
【課題を解決するための手段】
【０００５】斯かる課題を解決すべく、本考案に係る発明は、１回ごとに飲むべき適量が定められた医薬品であって、前記１回ごとの適量のパッケージを、１日のうち朝の分、昼の分、夜の分ごとのスペースに小物収納可能ポケットを備えた摂取確認シートに収納してなるものである。
【０００６】請求項２に記載した考案は、日付に対応した１日のうち朝の分、昼の分、夜の分ごとのスペースを備えた摂取確認シートであって、該１日ごとのスペースには小物収納可能なポケットが備えられ、飲むべき適量が定められた医薬品の１日のうち朝の分、昼の分、夜の分のパッケージを前記ポケットに収納してなるものである。
また、請求項３に記載した考案は、日付に対応した１日ごとのスペースを備えた摂取確認シートであって、飲むべき適量が定められた健康食品又は医薬品の１日分のパッケージを前記１日ごとのスペースに予め貼り付けてなるものである。
【０００７】請求項４に記載した考案は、日付に対応した１日ごとのスペースを備えた摂取確認シートであって、該１日ごとのスペースには小物収納可能なポケットが備えられ、飲むべき適量が定められた健康食品の１日分のパッケージを前記ポケットに収納してなるものである。
【０００８】請求項５に記載した考案は、１日ごとに飲むべき適量が定められた健康食品であって、前記１日ごとの適量のパッケージを、日付に対応した１日ごとのスペースを備えた摂取確認シートに貼り付けてなるものである。
【０００９】請求項６に記載した考案は、１日ごとに飲むべき適量が定められた健康食品であって、前記１日ごとの適量のパッケージを、日付に対応した１日ごとのスペースに小物収納可能ポケットを備えた摂取確認シートに収納してなるものである。
【００１０】
【考案の実施の形態】
以下図１と図３とを参照しながら本考案の実施形態について説明する。図１は摂取確認シートの健康食品貼付け前の状態を示す図である。図１には１日ごとのスペース１０が３０日分設けられている。この図では１行ごとに７日分としており、曜日との対応が分かりやすくしてある。シートの上部には召し上がり開始日を記入できる欄があり、健康食品を利用する需要者が自分の食べ始める日付を自ら記入できるようになっている。例えばその月の１８日から食べ始める需要者は１８の数字の記入された欄から始めて、月の終わりまで到達したら次に１の数字の記入された欄に移り、１７の数字の記入された欄までを利用することによって、１ヶ月の健康食品摂取プランを実行することができる。本考案はこの摂取確認シートを用いて需要者が記入することによって毎日の健康食品の摂取確認をすることも可能であるが、さらに有益な実施形態を図３を参照しつつ説明する。
【００１１】図３は、摂取確認シートに健康食品を貼り付けた状態を示す図である。１日ごとのスペース１０のそれぞれに、健康食品の１日分のパッケージ３０を貼り付けている。この貼付けは例えば、両面テープによってなされ、簡単な動作によって取り外しが可能となっている。貼付け作業は販売者によってなされることもできるし、需要者が自ら行うこともできる。特に健康食品の品質保持の都合などから、需要者の手元にその健康食品が渡るまで缶に詰められて届けられることが望ましい場合には、需要者自身が缶を開封して張り付けることが望ましいと考えられる。その場合には、両面テープの貼り付けられた部分には簡単にはがせる剥離紙がついており、需要者の作業の便宜が図られる。
【００１２】
【実施例】以下図２と図４とを参照しつつ説明する。図２は摂取確認シートの健康食品収納前の状態を示す図である。図２には１日ごとのスペース１０が３０日分設けられており、それぞれの１日ごとのスペース１０には小物収納可能なポケット２０が設けられている。小物収納可能なポケット２０は中の小物が指で取り出しやすい構造となっている。図４は摂取確認シートに健康食品を収納した状態を示す図である。小物収納可能なポケット２０には、健康食品の１日分のパッケージ３０が収納されている。召し上がり開始日から始まって日を追うごとにその日付の健康食品が一つずつ摂取され、需要者が当日の摂取の事実を確認できる。また、当該需要者がかかりつけの医師から投薬を受けている場合に、その薬をポケットに一緒に入れることもできる。このポケットを透明又は半透明にしておくと内容物が分かりやすい。さらに図５を参照しつつ説明する。図５は、１回ごとのスペース４０が設けられており、それぞれの日にちに対応して朝の分、昼の分、夜の分ごとに小物収納可能ポケット２０が設けられている。
【００１３】
実施形態と実施例の双方に共通することであるが、シートの素材はなるべく厚紙などの頑丈なものが望ましい。両面テープで貼り付ける場合にははがしたりするときに必要以上の力が加わっても破れないようにするためである。また、ポケットを設ける実施例の場合には、ポケット自体の重み及び収納物の重みに耐える必要がある。
また、シートの大きさは例えばＡ３ぐらいの大きさにして、部屋の中の目立つ壁などに貼り付けておくことが望ましい。
【００１４】
【考案の効果】
本考案は、以上のように構成されているから健康食品を食べる者や医薬品を服用する者が摂取の事実を確認することをしやすくし、毎日適量の健康食品又は医薬品を摂取することができる。物忘れのひどい人でも安心して利用できる。
【図面の簡単な説明】
【図１】本考案の実施形態における摂取確認シートの健康食品貼付け前の状態を示す図である。
【図２】本考案の実施例における摂取確認シートの健康食品収納前の状態を示す図である。
【図３】本考案の実施形態における摂取確認シートに健康食品を貼り付けた状態を示す図である。
【図４】本考案の実施例における摂取確認シートに健康食品を収納した状態を示す図である。
【図５】本考案の実施例における摂取確認シートに医薬品収納前の状態を示す図である。
【符号の説明】
１０　　１日ごとのスペース
２０　　小物収納可能なポケット
３０　　健康食品の１日分のパッケージ
４０　　１回ごとのスペース
【図１】
0003097598.tif 000003
【図２】
0003097598.tif 000004
【図３】
0003097598.tif 000005
【図４】
0003097598.tif 000006
【図５】
0003097598.tif 000007